(57)【特許請求の範囲】
【請求項１】
コネクタ本体と、該コネクタ本体の前部に設けられたワイヤ誘導管用収容部及びガス供給管用収容部と、コネクタ本体の前面から導入されるとともに背面に導出してなる１以上の電気コンタクトと、該ワイヤ誘導管用収容部に背後から連結されるワイヤ誘導管と、ガス供給管用収容部に導入される導入部材と、導電材製の外周ネジ部及びその傍らのコンタクト面と、コネクタ取り付けに適した形状にてコネクタ本体側面を囲んだ絶縁材料製のハウジングとからなる溶接トーチ連結用コネクタであって、
該コネクタ本体及びハウジングは絶縁材で作られ、背面壁(14)にて連結された一体のユニット(12)として設計され、
さらに外周ネジ部(55,155,255)と環状コンタクト面(57,157,257)とを有する導電材製のインサート(50,150,250)を、このユニット(12)のコネクタ本体(20)の側面(21)と当該側面(21)に対向するユニット(12)のハウジング(40)の表面(41)とによって形成された収容部(30)内に嵌合自在に備え、
該インサート(50,150,250)はその側面に通電に適した部分を有するとともに、該ハウジング(40)の側壁にはインサート(50,150,250)の通電に適した部分を蔽わないでおく一つの開口部(33)を有し、嵌合により、及び/又は、通電に適切なインサート(50,150,250)側面に取り付けられた装置を開口部(33)の縁部において捕らえることにより、収容部(30)内に回転可能に取り付けられている、
ことを特徴とする溶接トーチ連結用コネクタ。
【請求項２】
該インサート(50,150,250)が、通電に適したインサート側面を、若しくは通電に適したインサート(50,150,250)側面に取り付けた装置を、開口部(33)の縁部にて捕らえる設計により、収容部(30)から引き出されないようにされたことを特徴とする請求項１に記載のコネクタ(10)。
【請求項３】
通電に適したインサート(50,150,250)の側面が、より肉厚の側部(59,159,259)であり、ハウジング(40)の側壁上の開口部(33)内に嵌合し、好ましくは該インサート(50,150,250)が収容部(30)内に嵌合した位置にあるときにはそれから突出していることを特徴とする請求項１又は２に記載のコネクタ(10)。
【請求項４】
該インサート(50,150,250)が、通電に適するようにその側部にネジ孔(60,160,260)を有することを特徴とする請求項１乃至３のいずれかに記載のコネクタ(10)。
【請求項５】
開口部(33)に嵌合しているインサート(50,150,250)のより肉厚の側部(59,159,259)が背面壁(14)近くのハウジング(40)の側面から突出していることを特徴とする請求項１乃至４のいずれかに記載のコネクタ(10)。
【請求項６】
取り付け手段はハウジング(40)の前面壁に形成されたフランジ(43)とフランジ(43)における１又はそれ以上の透孔(44)であることを特徴とする請求項１乃至５のいずれかに記載のコネクタ(10)。
【請求項７】
取り付け手段は、ハウジング(40)がその前面壁から突出したフランジ(43)と背面壁(14)からフランジ(43)に向かって突出した１又はそれ以上の舌片(45,46)とを有し、該インサート(50,150,250)が取り除かれた状態で該舌片(45,46)がその可撓性によってコネクタ本体(20)に向かって屈曲し得るようにされ、該インサート(50,150,250)がその場所にあるときには舌片(45,46)が屈曲を妨げられるとともに、その屈曲してない状態においては該舌片(45,46)はフランジ(43)の対向面で保持溝(39)を形成することを特徴とする請求項１乃至６のいずれかに記載のコネクタ(10)。
【請求項８】
該舌片(45,46)の端部には突起(47,48)を備えるか、若しくは該舌片(45,46)の端部が厚くされてなることを特徴とする請求項７に記載のコネクタ(10)。
【請求項９】
ハウジング(40)は、フランジ(43)の背後にぴったり接した円形でない形状の肩部(49)を有することを特徴とする請求項１乃至８のいずれかに記載のコネクタ(10)。
【請求項１０】
該インサート(50,150,250)は、コネクタ本体(20)にぴったり嵌まる同芯の軸孔(52,152,252)を有する円筒状若しくは角柱状体、好ましくは角部を丸めた４角柱とし、該インサート(50,150,250)を収容する収容部(30)の形状を該円筒状若しくは角柱状体(54,154,254)がぴったり嵌合するように形成したことを特徴とする請求項１乃至９のいずれかに記載のコネクタ(10)。
【発明の詳細な説明】
技術分野
【０００１】
本発明は溶接トーチ連結用コネクタに関し、殊に溶接装置を溶接トーチに連結するソケット状の連結部材に関するもので、通常、コネクタソケットとして溶接装置の前面板に取り付けられる。
【０００２】
背景技術
重量及び寸法の著しく大きい真鍮製のコネクタ本体を有するいわゆるビンチェルタイプのコネクタがよく知られており、その溶接電流はジョイントネジによってコネクタ本体内に固定されたワイヤ誘導管を用いて後部からコネクタ本体に導通される。そして、電流はジョイントネジによって、例えば、電流を伝えるケーブルのケーブル輪金をそこに固定することによってワイヤ誘導管に導通している。ヨーロッパ特許 EP 0794 029 明細書にて説明されているコネクタも知られており、その重量と寸法はその構造ゆえに若干小さくなってはいるが、溶接電流がワイヤ誘導管を介して後部から間接的に接触しているコネクタ本体に連結されており、電流は、例えば、電流を伝えるケーブルのケーブル輪金がジョイントネジによってワイヤ誘導管に連結されているという短所を有している。また、電気接触用収容部を備えたコネクタ本体が導電材製であり、結果としてコネクタ重量がなお重過ぎるという短所がある。
【０００３】
コネクタ本体が、ハウジングにコネクタ本体を固定する追加ジョイントネジによって、ずれ又は回転を防止するためにコネクタのプラスチック製ハウジング内に固定されているため、定期的、正常な使用において連結が緩み得るという構造的短所がある。
【０００４】
上述した短所は、これら短所を除去して、上記のコネクタに比較してその重量と長さ寸法を小さくし、使用に際して溶接装置により容易、かつ簡単に取り付けられるようにし、軽量ゆえにより操作が容易である一方、耐久性、絶縁性を低下させず、さらには同一目的及びユニットで広く使用されるコネクタの連結性能を確実ならしめるために互換性あるものとする解決策を見つけ出す必要を生じた。
【０００５】
本発明の基本的概念は、溶接電流を送るのに直接貢献するコネクタの一部だけが導電材製でさえあれば、電流がそれに直接に導通し、他の全ての部分は非導電材、好ましくはプラスチックでつくられ、導電要素とそれを保持するプラスチック体は、嵌合によって及び／又は電気接続を確立する結合によって、ずれから守られ、所望のコネクタが実現できるというものである。
発明の開示
【０００６】
それゆえ、本発明に係るコネクタは、コネクタ本体と、該コネクタ本体の前部に設けられたワイヤ誘導管用収容部及びガス供給管用収容部と、コネクタ本体の前面から導入されるとともに背面に導出してなる１以上の電気コンタクトと、該ワイヤ誘導管用収容部に背後から連結されるワイヤ誘導管と、ガス供給管用収容部に導入される導入部材と、導電材製の外周ネジ部及びその傍らのコンタクト面と、コネクタ取り付けに適した形状にてコネクタ本体側面を囲んだ絶縁材料製のハウジングとからなる溶接トーチ連結用コネクタであって、該コネクタ本体及びハウジングは絶縁材で作られ、背面壁にて連結された一体のユニットとして形成され、さらに外周ネジ部と環状コンタクト面とを有する導電材製のインサートを、このユニットのコネクタ本体の側面と当該側面に対向するユニットのハウジングの表面とによって形成された収容部内に嵌合自在に備え、該インサートはその側面に通電に適した部分を有するとともに、該ハウジングの側壁にはインサートの通電に適した部分を蔽わないでおく一つの開口部を有し、嵌合により、及び/又は、通電に適切なインサート側面に取り付けられた装置を開口部の縁部において捕らえることにより、収容部内に回転可能に取り付けられてなるものとした。
【０００７】
一実施例にあっては、該インサートは、通電に適したインサート側面、若しくは通電に適したインサートに取り付けた装置を開口部の縁部にて捕らえる設計により、収容部から引き出されないようにする。
【０００８】
特に有利な実施例では、通電に適したインサートの側面が、より肉厚の側部であり、ハウジングの側壁上の開口部内に嵌合し、好ましくは該インサートが収容部内に嵌合した位置にあるときにはそれから突出している。
【０００９】
インサートに通電する装置を連結するために、インサートは通電に適するようにその肉厚の側部にネジ孔を有している。
【００１０】
さらに好ましい実施例にあっては、開口部に嵌合しているインサートのより肉厚の側部が背面壁近くのハウジングの側面から突出している。
【００１１】
用途によって、本コネクタは、溶接装置の前面板の孔に取り付けられる。その取り付け手段は、ハウジングの前面壁に形成されたフランジと、フランジにおける１又はそれ以上の透孔とすることができる。
【００１２】
本発明に係るコネクタの他の可能な取り付け手段にあっては、ハウジングの一部がフランジと、背面壁からフランジに向かって突出した１又はそれ以上の舌片とを有し、インサートが取り除かれた状態で該舌片がその可撓性によってコネクタ本体に向かって屈曲し得るようにされ、インサートがその場所にあるときには舌片が屈曲を妨げられるとともに、その屈曲してない状態においてはその舌片はフランジの対向面で保持溝を形成する。この実施例にあっては、該舌片の端部に突起を備えるか、若しくはより深い保持溝を形成するために該舌片端部が厚くされている。
【００１３】
本発明に係るコネクタは、ハウジングがフランジの背後にぴったり接した円形でない形状の肩部を有するとともに、前面板に当該肩部が嵌合する開口部を有することにより、溶接装置の前面板内に回転可能に取り付けられる。
【００１４】
本発明に係るコネクタの他の実施例にあっては、インサートは、コネクタ本体にぴったり嵌まる同芯の軸孔を有する円筒状若しくは角柱状体、好ましくは角部を丸めた４角柱とし、該インサートを収容する収容部の形状を該円筒状若しくは角柱状体がぴったり嵌合するように形成する。
【００１５】
本発明に係るコネクタのワイヤ誘導管は、その軸孔内に除去可能なワイヤ誘導細管を有している。ワイヤ誘導管は、あまり導電性のよくない材料でつくってもよく、若しくは非導電性材料でつくってもよいものである。
【００１６】
インサートは、導電性のよい材料でつくられ、好ましくは銅、真鍮、銅合金、若しくはその他の適切な導電性材料でつくってもよいものである。
【００１７】
発明を実施するための最良の形態
以下、本発明の本質を好適実施例をあげ、添付図面を参照しつつ、詳細に説明することとする。
図１は、本発明に係るコネクタ(10)の実施例の分解図を示すものである。図からみることができるように、本コネクタ(10)の主要部はコネクタ本体(20)とハウジング(40)と、インサート(50)と、ワイヤ誘導管(16)とからなるユニット(12)である。
【００１８】
ユニット(12)は、背面壁(14)と、円筒状コネクタ本体(20)と、当該コネクタ本体(20)の側面を一定の間隔をもって背面壁(14)から前方に向けて押し出すように蔽うハウジング(20)とからなる。
【００１９】
コネクタ本体(20)は、ワイヤ誘導管のための収容部(24)と、その前面(22)上のガス供給口用収容部(26)とを有し、そしてそれは前面の孔(28,29)に導入されて背面壁にて導出するようにされた二つの電気コンタクト（図示せず）を有している。
【００２０】
ワイヤ誘導管(16)は、貫通孔(17)を有し、ユニット(12)の背面壁(14)内のネジ孔内にそのネジ端部(18)によって固定されている。この位置でワイヤ誘導管(16)の貫通孔(17)はワイヤ誘導管用収容部(24)の窪みにつながっている。ワイヤ誘導管(16)の貫通孔(17)内には、いわゆる毛細管といわれる取り換え可能な細管(19)があり、コネクタ(10)を使用する際にワイヤ送り装置から送られてくる溶接ワイヤを支持し、コネクタ(10)を介する溶接ワイヤの前進を促進する。
【００２１】
さらに、ユニット(12)は、ユニット(12)のコネクタ本体(20)内のガス供給管用収容部(26)の窪みに誘導する装填開口部を有しており、ガス供給口ジョイントピース(15)が適切なガスケットを介してこの装填開口部に嵌合できるようにされ、溶接トーチに送られるためにコネクタ内を通るガスを保護している。なお、図中に示されるのはガス供給供給口ジョイントピース(15)のみである。
【００２２】
コネクタ本体(20)、ハウジング(40)及びこれらに繋がっている背面壁(14)は電気絶縁材料、好ましくはプラスチックで単一のユニットとして一体につくられている。
【００２３】
提示したコネクタ(10)の実施例にあっては、インサート(50)が軸孔(52)を備えた本体(54)を有しており、その本体の形状は角部を丸めた４角柱である。インサート(50)はその円筒状の前部外周にネジ部(55)を有し、同ネジ部(55)のそばの前側領域に環状コンタクト面(57)を有している。また、インサート(50)は、その一方側面に通電に適した部分を有しており、この実施例においてそれはネジ部(55)背後の本体(54)側面から突起したブロック状のより肉厚の側部(59)であり、そこにはネジ孔(60)がインサート(50)の中心線を横断している。
【００２４】
該インサート(50)は、良導電性材料である銅若しくは銅合金、好ましくは真鍮から適宜につくられる。
【００２５】
該インサート(50)は、コネクタ本体(20)の側面(21)とそれに対向するハウジング(40)の側面によって形成された収容部(30)内に嵌合され、嵌合状態においてコネクタ本体(20)はインサート(50)の軸孔(52)を塞ぎ、インサート(50)は当該インサート(50)の形状に合わせた縁部を有する収容部(30)を塞ぐ。このように収容部(30)に嵌合されたインサート(50)は嵌合状態で回転可能に取り付けられる。
【００２６】
該収容部(30)を囲むハウジング(40)の側面には、インサート(50)の肉厚側部(59)を収容し、かつ挿入時に誘導するための図中に示されないスリットがあり、そのスリットは収容部(30)の入り口からハウジング(40)の側壁の開口部(33)まで誘導する。収容部(30)に嵌合しているインサート(50)の通常状態において、開口部(33)は、通電のためのインサート(50)の肉厚側部(59)とその中のネジ孔(60)とを蓋わないでおき、当該肉厚側部(59)がこの通路を出入りできるようにしている。
【００２７】
電流は、インサート(50)が収容部(30)に嵌合している状態のコネクタ(10)に流れることができる。この状態で内側から開口部(33)を通って突出しているブロック状の肉厚側部(59)のネジ孔(60)へ、アクセス可能である。例えば、通電ケーブルのケーブル輪金を開口部(33)を介するネジ孔(60)へのジョイントネジ経由でインサート(50)に直接に連結することができる。ジョイントネジの位置は、嵌合した状態のネジ孔(60)の上方に描かれたネジ(35)により示される(図5参照)。
【００２８】
同時に、この結合はインサート(50)がハウジング(40)から引き出されるのを妨げる。インサート(50)が引っ張られるときに、固定された装置、この実施例においてはケーブル輪金及び/又はネジ(35)、が開口部(33)の前側縁部に引っかかる。
【００２９】
通電用の肉厚側部(59)を備えたインサート(50)を開口部(33)と一緒に作成することは、もしインサート(50)が回転しようとすれば、肉厚側部(59)の縁部が開口部(33)縁に当たるという、収容部(30)内でのインサート(50)の回転防止を確実ならしめるさらなる嵌合態様を付与するものであることに留意されたい。
【００３０】
また、ジョイントネジによって開口部(33)を介して通電することが、インサート(50)の収容部(30)内での回転防止を確実ならしめる嵌合態様を付与するものであることにも留意されたい。
【００３１】
コネクタ(10)の取り付け方もまた、図中に明確にみられ、この実施例では、ハウジング(40)の前面壁から突出している環状に成形したフランジ(43)と、ハウジング(40)の背面壁(14)からフランジ(43)に向かって突出した２つの舌片とを有しており、一方の舌片(45)のみを図中にみることができる。該インサート(50)が取り除かれた状態で該舌片はその可撓性によってコネクタ本体(20)に向かって屈曲し得るが、該インサート(50)がその場所にあるときにはインサート(50)に捕らえられて舌片(45,46)は屈曲を妨げられる。その屈曲していない状態においては、図５及び６にみることができるように、該舌片(45,46)の端部はフランジ(43)の対向後面とで保持溝を形成する。
【００３２】
該保持溝の深さは、舌片の端部では突起によって深くなるが、本図においては突起(47)のみをみることができる。
【００３３】
コネクタ(10)は、通常、使用中は溶接装置の前面板に取り付けられる。コネクタ(10)を取り付けるために、溶接装置の前面板に円形状、又は矩形状の開口部が形成される。コネクタ本体(10)のハウジング(40)は、この前面板の開口部に取り付けられ、その間、舌片は屈曲状態を保ち、前面板はハウジング(40)のフランジ(43)に捕らえられる。それから、舌片は解放されて非屈曲状態となり、この状態で前面板が保持溝内に固定される。舌片は、インサート(50)を嵌合することによって留められ、その後に溶接電流がコネクタ(10)のインサート(50)に通電され、少なくともケーブル輪金とフランジ(43)近傍の開口部(33)縁部のネジ(35)の受け止めによる、収容部(30)からのインサート(50)のずれを確実に防止する。
【００３４】
図２は、本発明に係るコネクタの一部を形成する、第２の実施形状を有するインサート(150)の斜視図である。このインサート(150)は、軸孔(152)を備えた円筒状本体(154)を有するとともに、円筒状本体(15４)の前部外周面の一部にはネジ部(155)を有し、その先端領域に環状のコンタクト面(157)を有している。
【００３５】
インサート(150)の通電に適した部分は、ネジ部(155)背後の円筒状本体(154)の曲面から突出した肉厚側部(159)であり、本実施例にあってはそれはブロック状の突起であり、該インサート(150)の中心線を横断するネジ孔(160)を含んでいる。
【００３６】
本図中に示した該インサート(150)を備えた、図示していないコネクタは、図１に示すインサートを収容する矩形状の収容部(30)を有し得、若しくは、該インサートを収容する収容部は、インサート(150)の円筒状本体(154)に対応した断面環状のものとすることができる。そこでは、図１で説明したと同様に、肉厚側部(159)を収容する収容部を囲むハウジング側面にスリットが形成され、そのスリットが開口部に誘導してインサート(150)の肉厚側部(159)の出入りを可能にして、既に詳細に説明したように、ネジ孔(160)を用い、この開口部を介してジョイントネジによって通電ケーブルをインサート(150)に連結することができる。
【００３７】
上述したと同様に、インサート(150)は、肉厚側部(159)を形成するブロック状突起の出入り可能性を提供する開口部の側縁部への当接により、若しくはコネクタの嵌合状態において、肉厚側部(159)に通電するケーブル結合部の出入り可能性を提供する開口部の側縁部への当接により、収容部に回転可能に取り付けられ、一方、コネクタの嵌合状態において、肉厚側部(159)に通電するケーブル結合部の出入り可能性を提供する開口部の前縁部への当接により、インサート(150)の収容部から外方へのずれが妨げられる。
【００３８】
該インサート(150)を含むコネクタの実施例にあっては、インサート(150)は固有電気抵抗の小さい材料、好ましくは銅、真鍮又はその他の銅合金であって、インサート(150)の肉厚側部(159)の断面に相当する断面を有するパイプ若しくは棒からつくられるので、比較的少ない加工によって製造できる。
【００３９】
図３は、本発明に係るコネクタの一部を形成する第３番目の形状を備えたインサート(250)の斜視図を示す。このインサート(250)は、軸孔(252)を備えた円筒状本体(254)を有し、ネジ部(255)を円筒状本体(254)の前側外周面に有するとともに、環状コンタクト面(257)をその先端領域に有している。
【００４０】
インサート(250)の通電に適した部分は、ネジ部(255)の背後の円筒状本体(254)の外周面から突出した肉厚側部(259)であり、本実施例にあってはスタッド状の突起であり、インサート(250)の中心線を横断するネジ孔(260)を含んでいる。
【００４１】
図２で説明したと同様に、本図に示したインサート(250)を具備した、図示していないコネクタは、図１に示したように、インサートを収容する矩形状の収容部(30)を有することができ、若しくは、該インサートを収容する収容部はインサート(250)の円筒状本体(254)に対応した断面環状のものとすることができる。そこでは、肉厚側部(259)を収容する収容部を囲むハウジング側面にスリットが形成され、そのスリットが開口部に誘導してインサート(250)の肉厚側部(259)の出入りを可能にして、既に詳細に説明したように、ネジ孔(260)を用い、この開口部を介してジョイントネジによって通電ケーブルをインサート(250)に連結することができる。
【００４２】
上述したと同様に、インサート(250)は、肉厚側部(259)を形成するブロック状突起の出入り可能性を提供する開口部の側縁部への当接により、若しくはコネクタの嵌合状態において、肉厚側部(259)に通電するケーブル結合部の出入り可能性を提供する開口部の側縁部への当接により、収容部に回転可能に取り付けられ、一方、コネクタの嵌合状態において、肉厚側部(259)に通電するケーブル結合部の出入り可能性を提供する開口部の前縁部への当接により、インサート(250)の収容部から外方へのずれが妨げられる。
【００４３】
該インサート(250)を含むコネクタの実施例にあっては、インサート(250)は、また固有電気抵抗の小さい材料、好ましくは銅、真鍮又はその他の銅合金であって、少ない加工によって製造できるように所望サイズのパイプ若しくは棒からつくられる。肉厚側部(259)は、適宜な接合によってパイプ外周面の孔部に別個のスタッドを取り付けることにより適宜に作ることができる。該スタッドの材質はパイプと同じものとする。
【００４４】
図４は、詳細をよりよくみることができるコネクタ(10)の正面図である。ハウジング(40)内に収まったコネクタ本体(20)、その前面(22)における収容部、コネクタ本体(20)を囲む４角柱状体を有するインサート(50)、そのネジ部(55)、その環状コンタクト面(57)及びその肉厚側部(59)が図中に明確にみえる。
【００４５】
図中の破線は、インサート(50)によって留められた状態におけるハウジング(40)のフランジ(43)背後の舌片(45,46)と、フランジ(43)背面の円形状とは異なる肩部(49)を示している。図はまた、正面から図示した適切な状態にあるときにインサートの肉厚側部を側壁内の他の開口部へ誘導するハウジング(40)の側壁内に形成した駆動スリット(31)をも示す。
【００４６】
他のコネクタ取り付け手段は、ハウジング(40)から突出しているフランジ(43)の取り付け用透孔であり、図中には取り付け用透孔(44)を示すに留める。
【００４７】
コネクタ(10)は、上述したように、舌片(45,46)を用いる方法によっても取り付けることができ、及び／又は、透孔(44)を介するジョイントネジによっても取り付けることができる。コネクタが取り付けられた際、同じ形状の孔に置かれる場合は、矩形状の肩部(49)が、コネクタの回転を防止して取り付けの確実性を増す。
【００４８】
図５は、コネクタ(10)の側面図である。図は、背面壁(14)からフランジ(43)に向かって突出し、その端部に突起(47)を備えた、ハウジング(40)の側壁内の舌片(45)を示すもので、同図はまた、当該舌片(45)の端部とフランジ(43)の対向面とで決定される保持溝(39)をも示す。上述したように、これは前板を取り付けるのに用い得る。図はまた、フランジ(43)の背面に形成された肩部(49)をも示している。
【００４９】
図はまた、背面壁(14)に取り付けられ、その中に溶接ワイヤ(71)を含む細管(19)を備えたワイヤ誘導管(16)、ガス供給管、及び溶接電流を通電するケーブルのケーブル輪金とインサートの肉厚側部(59)とのネジ(35)による電気的乃至は機械的連結を示している。
【００５０】
図６は、図４において示された面に沿って一部断面にてコネクタを示す。図は、コネクタ本体(20)とハウジング(40)とが背面壁(14)を結合して一体のユニットを形成すること、舌片(46)が端部に突起(48)を備えたフランジ(43)に向かって背面壁(14)から突出していること、を明確に示す。それはまた、舌片(46)端部とフランジ(43)の対向面とで形成される保持溝(39)と、フランジ(43)の背面に形成された肩部(49)を示す。
【００５１】
図は、コネクタ本体(20)の側面(21)とハウジング(40)の対向面とで形成されたインサート用収容部(30)内のインサート(50)の状態を明確に示し、それはまた、インサート(50)の軸孔のコネクタ本体(20)上への嵌合と、インサート(50)の肉厚側部(59)及びそのネジ孔(60)のハウジング(40)の側壁上の開口部内における状態を示す。既に述べたように、肉厚側部(59)は、ハウジング(40)の側面から突出しており、その突出寸法は図中においては"d"で表示され、インサート(50)の出入りを容易ならしめている。
【００５２】
本発明に係るコネクタは、他の実施例においてもなお実施することができるもので、取り付け部材を減らす設計が可能である。例えば、舌片を用い、若しくは用いず、肩部を用い、若しくは用いず、フランジを用い、若しくは取り付け孔付きフランジを用い、又はこれらの手段の望まれるいかなる組み合わせも実現可能である。要求に応じて、インサートを収容する収容部は、円筒状、若しくは４角柱状とし、ハウジングは、円筒状、若しくは４角柱状とすることができる。溶接電流用連結器として作動するインサートは、コネクタの他の部分と調和して、通電に適した均一厚さの側面を備え、或いは多角形ベースの形状、好ましくは正四角形若しくは六角形ベースのプリズム形状を備えたものとして形作ることができる。
【００５３】
産業上の利用可能性
本発明に係るコネクタの主要な利点は、その新規な構造によって当該コネクタが連結されるとインサートのネジ部を介し、伝統的コネクタに適用される方法と同様にネジ部の前面近傍の環状コンタクト面を介して導電性のコンタクトが成立し、良導電性及び所望硬さの材料、ふさわしくは銅若しくは銅合金、好ましくは真鍮でつくられなければならないのは溶接電流用コンタクトとして機能する軽量のインサートのみであることである。
【００５４】
電気コンタクトを備え、かつ収容部を有するコネクタ本体はハウジングとともに非導電性のプラスチックでつくられるので、この手段は電気コンタクトを互いから及び溶接電流コンタクトから安全に絶縁するという問題をも解決するとともに、さらにその外形形状がコネクタを溶接装置の前面板にずれを防止するやり方で取り付け、かつ溶接電流の電気的接続として作動するインサートをハウジング内に嵌合及び/又は通電ケーブルの機械的連結に起因するずれを防止するやり方で取りつけることを可能にする。
【００５５】
その他の利点として、特定の溶接装置の公称出力に従ってインサートの軸方向のサイズを選択することで、本コネクタを同装置の能力により精確に合わせることができることがある。
【００５６】
さらなる利点として、ワイヤ誘導管が導電機能を有しないため、その電気接続を確立するために要するスペースが減少し、従ってコネクタの軸方向のサイズをより小さくでき、かつ、ワイヤ誘導管は導電性のより低い材料でより簡単な技術でつくることができる。さらなる利点としては、電気接続の数及び接触抵抗の数を一つ減らすことができ、これらコンタクト上のロスを減少させることができることである。このように、本コネクタは、既知のコネクタと比較して要求される能力により精確に合わせて、より少量の金属を使い、より廉価な技術で、より経済的なやり方で、より小さいサイズ、かつ軽量につくることができる。
【図面の簡単な説明】
【図１】    本発明に係るコネクタの第一実施例の分解図である。
【図２】    同コネクタの第２の形状に係るインサートの実施例の斜視図である。
【図３】    同コネクタの第３の形状に係るインサートの実施例の斜視図である。
【図４】    同コネクタの正面図である。
【図５】    連結をも示した同コネクタの側面図である。
【図６】    図４にて示した面に沿って示した部分断面を示す同コネクタの側面図である。
【図１】
0003727881.tif 000002
【図２】
0003727881.tif 000003
【図３】
0003727881.tif 000004
【図４】
0003727881.tif 000005
【図５】
0003727881.tif 000006
【図６】
0003727881.tif 000007